(57)【要約】      （修正有）【課題】開口部の縁からの排泄物等の漏れを防止できる排泄物受容器を提供する。【解決手段】排泄物を受容するカップ部２１０に被介護者の股間を囲むように湾曲した開口部が開いており、その開口部の縁に沿って設けられた弾性部材２２０には、開口部の内側に突き出したフランジが形成されている。したがって、大小便の排泄の勢いが強い場合や容器の洗浄水が強く噴射される場合でも、開口部の縁から汚水が漏れ出すことを効果的に防止できる。汚水の漏れが抑えられるので、被介護者のおむつを簡易化することが可能となり、おむつの交換作業が容易になる。【選択図】図２
0003137627.tif 000002
【実用新案登録請求の範囲】
【請求項１】
股間にあてて排泄物を受容するための排泄物受容器であって、
肛門と陰部を囲むように縁が鞍状に湾曲した開口部を備えるカップ部と、
前記開口部の縁に沿って設けられた弾性部材と
を有し、
前記弾性部材は、前記開口部の内側に突き出したフランジを備える、
排泄物受容器。
【請求項２】
前記弾性部材は、
股間にあてがわれる第１の面と、
前記開口部の縁から外側に広がって立ち上がり、前記第１の面の外縁に接する第２の面と、
前記開口部の縁と前記第２の面の縁との間に介在し、外側に張り出して屈曲する第３の面と
を有し、
前記第１の面には、前記開口部を囲むように突条が形成される、
請求項１に記載の排泄物受容器。
【請求項３】
前記カップ部は、
腹側で排泄物を受ける前カップと、
尻側で排泄物を受ける後カップと、
前記前カップと前記後カップの間に介在する中間カップと
を含み、
前記後カップから上半身の方向に延びて臀部を支えるように広がり、臀部側の面において複数の半球状の突起を有する板部を有し、
前記後カップの内面において前記中間カップに近接する側とその反対側の２点、並びに、前記２点を結ぶ線に対して線対称の関係にある２点においてそれぞれ排泄物の有無を検出するセンサを有する、
請求項１又は２に記載の排泄物受容器。
【考案の詳細な説明】
【技術分野】
【０００１】
本考案は、股間にあてて排泄物を受容するための排泄物受容器に係り、例えば、排泄物を自動的に吸引して股間を洗浄する装置に用いられる排泄物受容器に関する。
【背景技術】
【０００２】
寝たきりになった被介護者の排泄物を取り除いて股間を清浄にする作業は、介護者のみならず被介護者にも大きな負担を強いるため、これを簡易化することが要望されている。下記の特許文献１では、被介護者が横たわった状態でも排泄物を自動的に処理できる装置が記載されている。
【特許文献１】特開昭６１−１４９１４８号公報
【考案の開示】
【考案が解決しようとする課題】
【０００３】
このような排泄物処理装置において用いられる排泄物受容器では、大小便の排泄の勢いが強い場合や洗浄水が強く噴射される場合に、容器の縁から汚物を含んだ水が漏れてしまい、おむつやベッドが汚れてしまうという問題がある。
また、汚水がベッドに漏れることを防止するため、排泄物受容器とおむつを粘着剤で密着させるなどの措置を施すと、おむつの形状や構造が複雑化してコストが高くなるとともに、おむつの交換が面倒になるという問題が生じる。
【０００４】
本考案はかかる事情に鑑みてなされたものであり、排泄物等の漏れを防止できる排泄物受容器を提供することにある。
【課題を解決するための手段】
【０００５】
本考案は、股間にあてて排泄物を受容するための排泄物受容器に関するものであり、この排泄物受容器は、肛門と陰部を囲むように縁が鞍状に湾曲した開口部を備えるカップ部と、前記開口部の縁に沿って設けられた弾性部材とを有する。前記弾性部材は、前記開口部の内側に突き出したフランジを備える。
【０００６】
好適に、前記弾性部材は、股間にあてがわれる第１の面と、前記開口部の縁から外側に広がって立ち上がり、前記第１の面の外縁に接する第２の面とを有してよい。
また、前記弾性部材は、前記開口部の縁と前記第２の面の縁との間に介在し、外側に張り出して屈曲する第３の面を有してもよい。
更に、前記弾性部材は、前記開口部を囲むように前記第１の面に形成された突条を有してもよい。
前記弾性部材は、好適には、一体成形されたゴム材でよい。
【０００７】
好適に、前記カップ部は、腹側で排泄物を受ける前カップと、尻側で排泄物を受ける後カップと、前記前カップと前記後カップの間に介在する中間カップとを含んでよい。前記後カップから上半身の方向に延びて臀部を支えるように広がった板部を有してもよい。
【０００８】
好適に、上記排泄物受容器は、前記後カップの内面において前記中間カップに近接する側とその反対側の２点、並びに、前記２点を結ぶ線に対して線対称の関係にある２点においてそれぞれ排泄物の有無を検出するセンサを有してもよい。
また好適に、前記板部は、臀部側の面において複数の半球状の突起を有してもよい。
【考案の効果】
【０００９】
本考案によれば、開口部の縁からの排泄物等の漏れを効果的に防止できる。
【考案を実施するための最良の形態】
【００１０】
図１は、介護用の排泄物処理装置の概略を示す図である。
排泄物受容器２００は、例えば図１に示すように、ホースユニット８を介して排泄物処理装置１に接続されている。
排泄物処理装置１は、排泄物受容器２００からの汚物の吸引やその洗浄を行う。すなわち、排泄物処理装置１は、排泄物受容器２００に設けられたセンサにおいて排泄物が検出されると、吸引器を作動させて排泄物受容器２００から排泄物を吸引するとともに、内部に備える水槽から水と空気を送り出して排泄物受容器２００の内面を洗浄する。このとき、排泄物で汚れた肛間を洗浄するための温水も排泄物受容器２００へ送り出す。排泄部受容器２００から吸引された排泄物と汚水は、排泄物処理装置１の内部の汚物タンクに貯蔵される。汚物の吸引と洗浄が終わると、排泄物処理装置１は排泄物受容器２００に空気を送りだして湿気を取り除く。
【００１１】
ホースユニット８は、例えば、汚物を吸引するためのホース、容器を洗浄するための水と空気を送りだすホース、股間を洗浄するための水を送りだすホース、センサからの信号を伝送する信号ケーブル、センサに電源を供給する給電ケーブルなどから構成されている。
【００１２】
図２〜図５は、本発明の実施形態に係る排泄物受容器２００の外観の一例を示す図である。図２は斜視図、図３は右側面図、図４は正面図、図５は背面図をそれぞれ示す。
この外観図において、排泄物受容器２００は、カップ部２１０と、弾性部材２２０と、板部２３０を有している。
【００１３】
カップ部２１０は、被介護者の股間にあてて排泄物を受容するための開口部を備える。開口部の縁は、被介護者の肛門と陰部をとり囲むように鞍状に湾曲している。この開口部の縁に沿って、弾性部材２２０が設けられている。
【００１４】
カップ部２１０は、被介護者の腹側で排泄物を受ける前カップ２１１及び尻側で排泄物を受ける後カップ２１３と、これらの間に介在する中間カップ２１２を備える。
前カップ２１１と後カップ２１３の開口部は、中間カップ２１２の開口部に比べて幅が広くなっており、先端が丸みを帯びている。後カップ２１３は被介護者の臀部によってベッドに押し付けられるため、臀部を安定に支えられるように、後カップ２１３の底面（開口部に対して反対側の面）は平らになっている。中間カップ２１２は、この底面に対して略垂直に立っており、被介護者の股間に無理なく挟まる程度の横幅を有している。中間カップ２１２と前カップ２１１とをつなぐ部分には、上下方向へ自在に曲げることが可能なベローズ部２１４が設けられている。ベローズ部２１４を曲げることにより、被介護者の体型に合わせて前カップ２１１を動かすことができる。前カップ２１１はお椀形の形状を有しており、その頂部には取手が設けられている。この取手は、前カップ２１１の位置を調節するときや、排泄物受容器２００を持ち運ぶ際に用いられる。
【００１５】
カップ部２１０の後カップ２１３と中間カップ２１２の背面には、ホースユニット８に接続されるコネクタ２４１〜２４４が設けられている。
【００１６】
コネクタ２４１には、排泄物検出用のセンサ（図６）からの信号を伝送する信号ケーブルと、そのセンサに電源を供給する給電ケーブルが接続される。コネクタ２４１は、汚れを水で洗い流せるような防水構造にすることが可能であり、例えばセンサの信号の伝送に赤外線通信装置、電力の伝送に電磁誘導等による非接触式電力伝送装置を用いれば、電気回路を樹脂等で密封して水の浸入を防ぐことができる。
【００１７】
コネクタ２４２には、カップ部２１０の内壁を洗浄するための水と空気を送るホースが接続される。水と空気が混合された洗浄水は、例えば後カップ２１３や前カップ２１１の内面の縁に設けられた不図示の孔から噴出される。洗浄後は、このコネクタ２４２から空気のみが送り込まれて、カップ部２１０の内壁や被介護者の股間を乾燥させる。
【００１８】
コネクタ２４３には、被介護者の股間を洗うための温水を送るホースが接続される。中間カップ２５１において後カップ２１３に比較的近い側の内壁の底部には、主にビデとして用いられる水を噴出するための孔２５１が設けられている。後カップ２１３の内壁の底部には、主として肛門の洗浄に用いられる水を噴出するための穴２５２が設けられている。
【００１９】
コネクタ２４４には、カップ部２１０から排泄物と汚水を吸引するためのホースが接続される。そのカップ部２１０側の吸引口（不図示）は、例えば、後カップ２１３の内壁の底部中央に設けられている。
【００２０】
弾性部材２２０は、カップ部２１０の開口部の縁に沿って帯状に設けられている。弾性部材２２０は、例えばシリコンゴムなどのエラストマを用いて一体成型されたゴム材であり、被介護者の股間が押しあてられると柔軟に変形する。
【００２１】
弾性部材２２０は、被介護者の股間に押し当てられた際に柔らかく押し潰れるように、複数の面（２２１〜２２３）を有している。第１の面２２１は、開口部の縁の上部において平らな面を形成しており、被介護者の股間にあてがわれる。第２の面２２２は、開口部の縁から外側に広がって立ち上がっており、第１の面２２１の外縁に接している。つまり、第１の面２２１と第２の面２２２は、その断面においてＬ字状に交わっており、第１の面２２１において被介護者の股間が押しあてられると、この交わりの稜線を折り曲げるようにして、弾性部材２２２は柔らかく潰れる。
第３の面２２３は、カップ部２１０の開口部の縁と第２の面２２２の縁との間に介在しており、外側に張り出すようにして屈曲している。第３の面２２３を設けることで、弾性部材２２０に弛みが生じるため、弾性部材２２０をより柔軟に変形させることができる。
【００２２】
第１の面２２１には、カップ部２１０の開口部を囲むようにリブ２２４（突条）が形成されている。このリブ２２４が被介護者の肌に密着することで、カップ部２１０からの汚水の漏れが抑えられる。
【００２３】
また、弾性部材２２０は、カップ部２１０の開口部の内側に突き出したフランジ２１５を備えている。開口部の縁は、帯状の弾性部材２２０に沿って突き出したフランジ２１５によって囲まれているため、例えば容器の洗浄水や大小便の排泄の勢いが強い場合でも、フランジ２１５が壁となって汚水を遮蔽し、開口部の縁における汚水の漏れを効果的に防止する。
【００２４】
フランジ２１５の高さは、例えばカップ部２１０の開口部の縁に対して１ｃｍ程度である。この程度の高さにすることで、前カップ２１１の開口部へ排泄された尿が中間カップ２１２をつたわって後カップ２１３に流れ込むようになり、フランジ２１５を越えて外に漏れ出ることが少なくなる。
【００２５】
板部２３０は、後カップ２１３から被介護者の上半身の方向に延びた弾性のある板であり、カップ部２１０に跨った被介護者の臀部と腰を支えるように広がっている。図３に示すように、板部２３０は、力を加えない状態において、後カップ２１３の底部の面よりもやや下方に伸びているため、被介護者が乗った状態では、後カップ２１３の開口部を上方へ持ち上げる方向に弾性力が発生する。これにより、排便の際などにおいて被介護者の腰が僅かに浮いても、開口部の弾性部材２２０が被介護者の股間と密着するように動くため、カップ部２１０からの汚水の漏れが抑えられる。
【００２６】
板部２３０の臀部側の面には、複数の半球状の突起２３１が設けられている。図の例において、突起２３１は被介護者の背中から尻へ向かう方向へ開いた扇状の領域に略等間隔に整列されている。このような突起２３１を設けることによって通気性が向上するため、被介護者の汗による蒸れが抑えられる。また、板部２３０と臀部との間におむつ等のシートが介在する場合、シートの横ズレが抑えられる。
【００２７】
図６は、後カップ２１３における排泄物検知用のセンサの配置例を示す図である。
図６の例において、後カップ２１３の内面には４つのセンサ（２６１〜２６４）が配置されている。センサ２６１〜２６４は、例えば、近接した物体による静電容量の変化を検出する静電容量形の物体検知センサであり、汚水が直接かからないように後カップ２１３の内壁を隔てた内側に配置されている。
センサ２６１は、後カップ２１３の内面において中間カップ２１２に近接する側に配置されており、センサ２６２はその反対側に配置されている。図の例において、センサ２６１と２６２は、中間カップ２１２と後カップ２１３の中央部を通るライン上に配置されている。センサ２６３と２６４は、この中央ラインに対して略線対称に配置されている。図の例においては、これら４つのセンサ（２６１〜２６４）が後カップ２１３の中央部を囲むように十字状に配置されている。
【００２８】
中間カップ２１２に近接する側に配置されたセンサ２６１は、主として前カップ２１１や中間カップ２１２をつたわって流れる尿を検出し、センサ２６２〜２６４は、主として後カップ２１３に落ちる大便を検出する。したがって、上述した配置によれば、尿と大便の両方を確実に検知できるとともに、洗浄後における残留物の有無も正しく検知できる。
【００２９】
以上説明したように、本実施形態によれば、排泄物を受容するカップ部２１０に被介護者の股間を囲むように湾曲した開口部が開いており、その開口部の縁に沿って設けられた弾性部材２２０には、開口部の内側に突き出したフランジ２２５が形成されている。したがって、大小便の排泄の勢いが強い場合や容器の洗浄水が強く噴射される場合でも、開口部の縁から汚水が漏れ出すことを効果的に防止できる。汚水の漏れが抑えられるので、被介護者のおむつを簡易化することが可能となり、おむつの交換作業が容易になる。
【００３０】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、被介護者の肌に弾性部材２２０や板部２３０が直接触れるようにしてもよいが、被介護者の皮膚への負担を軽減するため、これらの間に紙おむつなどのシートを挟んでもよい。
【図面の簡単な説明】
【００３１】
【図１】介護用の排泄物処理装置の概略を示す図である。
【図２】本発明の実施形態に係る排泄物受容器の外観の一例を示す斜視図である。
【図３】本発明の実施形態に係る排泄物受容器の外観の一例を示す側面図である。
【図４】本発明の実施形態に係る排泄物受容器の外観の一例を示す正面図である。
【図５】本発明の実施形態に係る排泄物受容器の外観の一例を示す背面図である。
【図６】排泄物受容器の後カップにおける排泄物検知用のセンサの配置例を示す図である。
【符号の説明】
【００３２】
１…排泄物処理装置
８…ホースユニット
２００…排泄物受容器
２１０…カップ部
２１１…前カップ
２１２…中間カップ
２１３…後カップ
２１４…ベローズ部
２２０…弾性部材
２２１…第１の面
２２２…第２の面
２２３…第３の面
２２４…リブ
２２５…フランジ
２３０…板部
２４１〜２４４…コネクタ
２６１〜２６４…センサ
【図１】
0003137627.tif 000003
【図２】
0003137627.tif 000004
【図３】
0003137627.tif 000005
【図４】
0003137627.tif 000006
【図５】
0003137627.tif 000007
【図６】
0003137627.tif 000008